(57)【要約】      （修正有）【課題】服を広げると同時に自動的に服にアイロンをかける携帯式アイロンハンガーを提供する。【解決手段】携帯式アイロンハンガーは、主体１２を含み、前記主体の頂端にはフック１１が設置され、前記主体の下端には服広げ７２が設置され、前記主体の中には動力チャンバ１９が設置され、動力チャンバの中には駆動機構が設置される。駆動機構は前記伝動装置により前記アイロン装置をスライド連動させることができ、服にアイロンをかける。【選択図】図１
2020179082.tif 000002
【特許請求の範囲】
【請求項１】
主体を含み、前記主体の頂端にはフックが設置され、前記主体の下端には服広げが設置され、前記主体の中には動力チャンバが設置され、前記動力チャンバの中には蒸気装置が設置され、前記主体には四組の延伸ブロックが対称的に設置され、前記延伸ブロックの中にはアイロン装置が設置され、前記主体の中には伝動チャンバが左右に対称的に設置され、前記伝動チャンバの中には伝動装置が設置され、前記伝動チャンバの下壁の中には延伸チャンバが設置され、前記延伸チャンバの中には延伸装置が設置され、前記動力チャンバの中には駆動機構が設置され、前記駆動機構は動力軸とモーターとを含み、前記動力軸が前記動力チャンバの中に回転できるように設置され、前記モーターが前記動力チャンバの底壁の中に固定的に設置され、前記動力軸と前記モーターとが動力が伝達できるように連結され、前記動力チャンバの頂壁の中には分配チャンバが設置され、前記分配チャンバの中にある前記動力軸の頂端には駆動傘歯車が設置され、
本発明設備の前記駆動機構は前記伝動装置により前記アイロン装置をスライド連動させることができ、服にアイロンをかけることを特徴とする携帯式アイロンハンガー。
【請求項２】
前記伝動装置は前記分配チャンバの中に設置される延伸軸を含み、前記延伸軸の右端には右傘歯車が設置され、前記延伸軸の左端には左傘歯車が設置され、前記伝動チャンバの中には分配軸が回転できるように設置され、前記分配軸の外壁には従動傘歯車が設置され、前記分配軸の外壁には切換スリーブ軸がスライドできるように設置され、前記切換スリーブ軸と前記分配軸とがスプラインにより係合され、前記切換スリーブ軸の外壁には下歯車が設置され、前記分配軸の外壁にはウォームが設置され、前記伝動チャンバの中には横軸が設置され、前記横軸の右端にはウォームホイールが設置され、前記横軸の左端にはカムが設置され、前記伝動チャンバの中にはメイン回転ブロックがスライドできるように設置され、前記メイン回転ブロックと前記伝動チャンバの内壁との間には第一ばねが設置され、前記分配軸の外壁には前傘歯車が設置され、前記伝動チャンバの中には縦軸が設置され、前記縦軸の頂端には下傘歯車が設置され、前記縦軸の底端には前歯車が設置され、前記縦軸の外壁にはサブ回転ブロックが設置され、前記サブ回転ブロックと前記伝動チャンバの内壁との間には第二ばねが設置され、前記分配軸の前端には太陽歯車が設置され、前記伝動チャンバの中にはカムリングギヤが回転できるように設置され、前記カムリングギヤと前記太陽歯車との間には遊星歯車が伝動できるように設置され、
前記伝動装置は動力を各装置の中に伝達することを特徴とする請求項１に記載の携帯式アイロンハンガー。
【請求項３】
前記延伸装置は前記延伸チャンバの中に設置されるねじボルトを含み、前記ねじボルトの頂端には後歯車が設置され、前記ねじボルトの外壁には前記ねじボルトとネジ山により係合される延伸スライドブロックがスライドできるように設置され、前記延伸チャンバの中にはショート連結ロッドが設置され、前記ショート連結ロッドと前記延伸ブロックとがヒンジにより連結され、前記ショート連結ロッドの前端にはロング連結ロッドがヒンジにより連結され、前記ロング連結ロッドと前記延伸スライドブロックとがヒンジにより連結され、
前記延伸装置は前記延伸ブロックを収納でき、本発明設備の体積を小さくすることを特徴とする請求項１に記載の携帯式アイロンハンガー。
【請求項４】
前記アイロン装置は前記延伸ブロックの下に設置されるアイロンブロックを含み、前記延伸ブロックの中にはベルトチャンバが設置され、前記ベルトチャンバの中には貫通軸が回転できるように設置され、前記貫通軸の外壁にはスプラインスリーブ軸がスライドできるように設置され、前記スプラインスリーブ軸の外壁には駆動プーリが設置され、前記伝動チャンバの中にある前記貫通軸の外壁には上歯車が設置され、前記ベルトチャンバの後壁の中には糸巻きチャンバが設置され、前記糸巻きチャンバの中には糸巻き軸が設置され、前記糸巻き軸の前端には従動プーリが設置され、前記従動プーリと前記駆動プーリとの間にはベルトが伝動できるように設置され、前記糸巻き軸の後端には糸巻き輪が設置され、前記糸巻き輪と前記アイロンブロックとの間が伝動糸により連結され、前記アイロンブロックの中には伸縮チャンバが設置され、前記伸縮チャンバの中には伸縮ブロックがスライドできるように設置され、前記伸縮ブロックの頂端にはラックが設置され、前記伸縮チャンバの中には伸縮軸が回転できるように設置され、前記伸縮軸の前端には伸縮歯車が設置され、前記伸縮軸の後端と前記伸縮チャンバの後壁の中に固定的に設置されるサブモーターとが動力が伝達できるように連結され、
前記アイロン装置は本発明設備のアイロン範囲を拡大できることを特徴とする請求項１に記載の携帯式アイロンハンガー。
【請求項５】
前記蒸気装置は前記動力チャンバの中に設置される蒸気軸を含み、前記蒸気軸の底端には右歯車が設置され、前記蒸気軸の頂端と前記動力チャンバの頂壁の中に固定的に設置される蒸気器とが動力が伝達できるように連結され、前記動力軸の外壁には左歯車が設置され、前記主体の中には水チャンバが設置され、前記水チャンバと前記蒸気器との間が送り込み管により連通しており、前記蒸気器と前記動力チャンバとが送り出し管により連通しており、
前記蒸気装置は蒸気を転換でき、服のアイロンかけ効率を高めることを特徴とする請求項１に記載の携帯式アイロンハンガー。
【発明の詳細な説明】
【技術分野】
【０００１】
本発明は生活用品分野を取り上げて、具体的には携帯式アイロンハンガーである。
【背景技術】
【０００２】
現在、服を洗濯した後、常にアイロン設備により服のしわを伸ばすが、伝統的なアイロン設備は占めしているスペースが大きく、操作が複雑であり、また、ユーザーが外出している間にアイロン設備を持ちにくい。現在、ハンガーは各家庭の欠かせないものであり、伝統的なハンガーは服を開くしかできなく、その他の機能を持っていなく、従って、本発明は服をアイロンかけできる携帯式ハンガーを設計する。
【先行技術文献】
【特許文献】
【０００３】
【特許文献１】中国特許出願公開第107303120号明細書
【発明の概要】
【発明が解決しようとする課題】
【０００４】
本発明の目的は携帯式アイロンハンガーを提供し、それは上記の現在の技術中の問題を解決できる。
【課題を解決するための手段】
【０００５】
本発明の携帯式アイロンハンガーは、主体を含み、前記主体の頂端にはフックが設置され、前記主体の下端には服広げが設置され、前記主体の中には動力チャンバが設置され、前記動力チャンバの中には蒸気装置が設置され、前記主体には四組の延伸ブロックが対称的に設置され、前記延伸ブロックの中にはアイロン装置が設置され、前記主体の中には伝動チャンバが左右に対称的に設置され、前記伝動チャンバの中には伝動装置が設置され、前記伝動チャンバの下壁の中には延伸チャンバが設置され、前記延伸チャンバの中には延伸装置が設置され、前記動力チャンバの中には駆動機構が設置され、前記駆動機構は動力軸とモーターとを含み、前記動力軸が前記動力チャンバの中に回転できるように設置され、前記モーターが前記動力チャンバの底壁の中に固定的に設置され、前記動力軸と前記モーターとが動力が伝達できるように連結され、前記動力チャンバの頂壁の中には分配チャンバが設置され、前記分配チャンバの中にある前記動力軸の頂端には駆動傘歯車が設置され、
本発明設備の前記駆動機構は前記伝動装置により前記アイロン装置をスライド連動させることができ、服にアイロンをかける。
【０００６】
優選的には、前記伝動装置は前記分配チャンバの中に設置される延伸軸を含み、前記延伸軸の右端には右傘歯車が設置され、前記延伸軸の左端には左傘歯車が設置され、前記伝動チャンバの中には分配軸が回転できるように設置され、前記分配軸の外壁には従動傘歯車が設置され、前記分配軸の外壁には切換スリーブ軸がスライドできるように設置され、前記切換スリーブ軸と前記分配軸とがスプラインにより係合され、前記切換スリーブ軸の外壁には下歯車が設置され、前記分配軸の外壁にはウォームが設置され、前記伝動チャンバの中には横軸が設置され、前記横軸の右端にはウォームホイールが設置され、前記横軸の左端にはカムが設置され、前記伝動チャンバの中にはメイン回転ブロックがスライドできるように設置され、前記メイン回転ブロックと前記伝動チャンバの内壁との間には第一ばねが設置され、前記分配軸の外壁には前傘歯車が設置され、前記伝動チャンバの中には縦軸が設置され、前記縦軸の頂端には下傘歯車が設置され、前記縦軸の底端には前歯車が設置され、前記縦軸の外壁にはサブ回転ブロックが設置され、前記サブ回転ブロックと前記伝動チャンバの内壁との間には第二ばねが設置され、前記分配軸の前端には太陽歯車が設置され、前記伝動チャンバの中にはカムリングギヤが回転できるように設置され、前記カムリングギヤと前記太陽歯車との間には遊星歯車が伝動できるように設置され、
前記伝動装置は動力を各装置の中に伝達する。
【０００７】
優選的には、前記延伸装置は前記延伸チャンバの中に設置されるねじボルトを含み、前記ねじボルトの頂端には後歯車が設置され、前記ねじボルトの外壁には前記ねじボルトとネジ山により係合される延伸スライドブロックがスライドできるように設置され、前記延伸チャンバの中にはショート連結ロッドが設置され、前記ショート連結ロッドと前記延伸ブロックとがヒンジにより連結され、前記ショート連結ロッドの前端にはロング連結ロッドがヒンジにより連結され、前記ロング連結ロッドと前記延伸スライドブロックとがヒンジにより連結され、
前記延伸装置は前記延伸ブロックを収納でき、本発明設備の体積を小さくする。
【０００８】
優選的には、前記アイロン装置は前記延伸ブロックの下に設置されるアイロンブロックを含み、前記延伸ブロックの中にはベルトチャンバが設置され、前記ベルトチャンバの中には貫通軸が回転できるように設置され、前記貫通軸の外壁にはスプラインスリーブ軸がスライドできるように設置され、前記スプラインスリーブ軸の外壁には駆動プーリが設置され、前記伝動チャンバの中にある前記貫通軸の外壁には上歯車が設置され、前記ベルトチャンバの後壁の中には糸巻きチャンバが設置され、前記糸巻きチャンバの中には糸巻き軸が設置され、前記糸巻き軸の前端には従動プーリが設置され、前記従動プーリと前記駆動プーリとの間にはベルトが伝動できるように設置され、前記糸巻き軸の後端には糸巻き輪が設置され、前記糸巻き輪と前記アイロンブロックとの間が伝動糸により連結され、前記アイロンブロックの中には伸縮チャンバが設置され、前記伸縮チャンバの中には伸縮ブロックがスライドできるように設置され、前記伸縮ブロックの頂端にはラックが設置され、前記伸縮チャンバの中には伸縮軸が回転できるように設置され、前記伸縮軸の前端には伸縮歯車が設置され、前記伸縮軸の後端と前記伸縮チャンバの後壁の中に固定的に設置されるサブモーターとが動力が伝達できるように連結され、
前記アイロン装置は本発明設備のアイロン範囲を拡大できる。
【０００９】
優選的には、前記蒸気装置は前記動力チャンバの中に設置される蒸気軸を含み、前記蒸気軸の底端には右歯車が設置され、前記蒸気軸の頂端と前記動力チャンバの頂壁の中に固定的に設置される蒸気器とが動力が伝達できるように連結され、前記動力軸の外壁には左歯車が設置され、前記主体の中には水チャンバが設置され、前記水チャンバと前記蒸気器との間が送り込み管により連通しており、前記蒸気器と前記動力チャンバとが送り出し管により連通しており、
前記蒸気装置は蒸気を転換でき、服のアイロンかけ効率を高める。
【発明の効果】
【００１０】
本発明の有益的な効果は：本発明は構造が簡単で、操作が便利で、体積が小さく、携帯性が高く、また、服を広げると同時に自動的に服にアイロンをかけ、よって、本発明設備は高い使用と普及の価値を持つ。
【図面の簡単な説明】
【００１１】
本発明の実施例また既存の技術の中の技術方案をもっとはっきり説明するため、下記に実施例また既存の技術の説明の中に使用する必要がある附図に簡単な紹介を行う。
【００１２】
【図１】図１は本発明の携帯式アイロンハンガーの全体構造概略図
【図２】図２は図１のＡ−Ａの構造概略図
【図３】図３は図１のＢの構造概略図
【発明を実施するための形態】
【００１３】
下記に図をあわせて本発明について詳しく説明し、便利に説明するために、下記の方向を以下のように規定する：以下に述べる上下左右前後の方向と図１の自身投影関係の上下左右前後の方向とが一致である。
【００１４】
図１−３に示すように、本発明の携帯式アイロンハンガーは、主体１２を含み、前記主体１２の頂端にはフック１１が設置され、前記主体１２の下端には服広げ７２が設置され、前記主体１２の中には動力チャンバ１９が設置され、前記動力チャンバ１９の中には蒸気装置４００が設置され、前記主体１２には四組の延伸ブロック２４が対称的に設置され、前記延伸ブロック２４の中にはアイロン装置３００が設置され、前記主体１２の中には伝動チャンバ５３が左右に対称的に設置され、前記伝動チャンバ５３の中には伝動装置１００が設置され、前記伝動チャンバ５３の下壁の中には延伸チャンバ４２が設置され、前記延伸チャンバ４２の中には延伸装置２００が設置され、前記動力チャンバ１９の中には駆動機構が設置され、前記駆動機構は動力軸１７とモーター１８とを含み、前記動力軸１７が前記動力チャンバ１９の中に回転できるように設置され、前記モーター１８が前記動力チャンバ１９の底壁の中に固定的に設置され、前記動力軸１７と前記モーター１８とが動力が伝達できるように連結され、前記動力チャンバ１９の頂壁の中には分配チャンバ２１が設置され、前記分配チャンバ２１の中にある前記動力軸１７の頂端には駆動傘歯車２０が設置され、
本発明設備の前記駆動機構は前記伝動装置１００により前記アイロン装置３００をスライド連動させることができ、服にアイロンをかける。
【００１５】
有益的には、前記伝動装置１００は前記分配チャンバ２１の中に設置される延伸軸２３を含み、前記延伸軸２３の右端には右傘歯車２２が設置され、前記延伸軸２３の左端には左傘歯車６６が設置され、前記伝動チャンバ５３の中には分配軸４６が回転できるように設置され、前記分配軸４６の外壁には従動傘歯車６５が設置され、前記分配軸４６の外壁には切換スリーブ軸４５がスライドできるように設置され、前記切換スリーブ軸４５と前記分配軸４６とがスプラインにより係合され、前記切換スリーブ軸４５の外壁には下歯車４４が設置され、前記分配軸４６の外壁にはウォーム４７が設置され、前記伝動チャンバ５３の中には横軸５２が設置され、前記横軸５２の右端にはウォームホイール４８が設置され、前記横軸５２の左端にはカム４９が設置され、前記伝動チャンバ５３の中にはメイン回転ブロック５０がスライドできるように設置され、前記メイン回転ブロック５０と前記伝動チャンバ５３の内壁との間には第一ばね５１が設置され、前記分配軸４６の外壁には前傘歯車６４が設置され、前記伝動チャンバ５３の中には縦軸５８が設置され、前記縦軸５８の頂端には下傘歯車６０が設置され、前記縦軸５８の底端には前歯車５６が設置され、前記縦軸５８の外壁にはサブ回転ブロック５９が設置され、前記サブ回転ブロック５９と前記伝動チャンバ５３の内壁との間には第二ばね５７が設置され、前記分配軸４６の前端には太陽歯車６３が設置され、前記伝動チャンバ５３の中にはカムリングギヤ６１が回転できるように設置され、前記カムリングギヤ６１と前記太陽歯車６３との間には遊星歯車６２が伝動できるように設置され、
前記伝動装置１００は動力を各装置の中に伝達する。
【００１６】
有益的には、前記延伸装置２００は前記延伸チャンバ４２の中に設置されるねじボルト５５を含み、前記ねじボルト５５の頂端には後歯車５４が設置され、前記ねじボルト５５の外壁には前記ねじボルト５５とネジ山により係合される延伸スライドブロック６７がスライドできるように設置され、前記延伸チャンバ４２の中にはショート連結ロッド４０が設置され、前記ショート連結ロッド４０と前記延伸ブロック２４とがヒンジにより連結され、前記ショート連結ロッド４０の前端にはロング連結ロッド４１がヒンジにより連結され、前記ロング連結ロッド４１と前記延伸スライドブロック６７とがヒンジにより連結され、
前記延伸装置２００は前記延伸ブロック２４を収納でき、本発明設備の体積を小さくする。
【００１７】
有益的には、前記アイロン装置３００は前記延伸ブロック２４の下に設置されるアイロンブロック６８を含み、前記延伸ブロック２４の中にはベルトチャンバ２９が設置され、前記ベルトチャンバ２９の中には貫通軸２５が回転できるように設置され、前記貫通軸２５の外壁にはスプラインスリーブ軸２６がスライドできるように設置され、前記スプラインスリーブ軸２６の外壁には駆動プーリ２７が設置され、前記伝動チャンバ５３の中にある前記貫通軸２５の外壁には上歯車４３が設置され、前記ベルトチャンバ２９の後壁の中には糸巻きチャンバ３３が設置され、前記糸巻きチャンバ３３の中には糸巻き軸３２が設置され、前記糸巻き軸３２の前端には従動プーリ３０が設置され、前記従動プーリ３０と前記駆動プーリ２７との間にはベルト２８が伝動できるように設置され、前記糸巻き軸３２の後端には糸巻き輪３１が設置され、前記糸巻き輪３１と前記アイロンブロック６８との間が伝動糸により連結され、前記アイロンブロック６８の中には伸縮チャンバ６９が設置され、前記伸縮チャンバ６９の中には伸縮ブロック３９がスライドできるように設置され、前記伸縮ブロック３９の頂端にはラック３７が設置され、前記伸縮チャンバ６９の中には伸縮軸３５が回転できるように設置され、前記伸縮軸３５の前端には伸縮歯車３４が設置され、前記伸縮軸３５の後端と前記伸縮チャンバ６９の後壁の中に固定的に設置されるサブモーター３６とが動力が伝達できるように連結され、
前記アイロン装置３００は本発明設備のアイロン範囲を拡大できる。
【００１８】
有益的には、前記蒸気装置４００は前記動力チャンバ１９の中に設置される蒸気軸１４を含み、前記蒸気軸１４の底端には右歯車１５が設置され、前記蒸気軸１４の頂端と前記動力チャンバ１９の頂壁の中に固定的に設置される蒸気器１３とが動力が伝達できるように連結され、前記動力軸１７の外壁には左歯車１６が設置され、前記主体１２の中には水チャンバ７０が設置され、前記水チャンバ７０と前記蒸気器１３との間が送り込み管７１により連通しており、前記蒸気器１３と前記動力チャンバ１９とが送り出し管３８により連通しており、
前記蒸気装置４００は蒸気を転換でき、服のアイロンかけ効率を高める。
【００１９】
初期状態では、アイロンブロック６８が最大限に延伸ブロック２４の内側に位置しており、カムリングギヤ６１とサブ回転ブロック５９とが係合状態から離脱し、カム４９とメイン回転ブロック５０とが係合される。
【００２０】
本発明設備を使用するとき、ユーザーが服をハンガーにかけ、サブモーター３６が作動し始めて伸縮軸３５と、伸縮歯車３４と、ラック３７とにより伸縮ブロック３９を左にスライド連動させ、伸縮チャンバ６９が作動停止し、モーター１８が作動し動力軸１７により左歯車１６と駆動傘歯車２０とを回転連動させ、駆動傘歯車２０が順次に右傘歯車２２と、延伸軸２３と、左傘歯車６６と、従動傘歯車６５とにより分配軸４６を回転連動させ、分配軸４６が前傘歯車６４と、下傘歯車６０と、縦軸５８と、前歯車５６と、後歯車５４とによりねじボルト５５を回転連動させ、それにより延伸スライドブロック６７を内部にスライド連動させ、それによりロング連結ロッド４１とショート連結ロッド４０とにより延伸ブロック２４を後にスライド連動させ、同時に、分配軸４６が太陽歯車６３と遊星歯車６２とによりカムリングギヤ６１を回転連動させ、カムリングギヤ６１とサブ回転ブロック５９とが係合され、カムリングギヤ６１がサブ回転ブロック５９により縦軸５８を下にスライド連動させ、前歯車５６と後歯車５４とが係合状態から離脱し、それと同時に、分配軸４６がウォーム４７と、ウォームホイール４８と、横軸５２とによりカム４９を回転連動させ、カム４９とメイン回転ブロック５０とが係合状態から離脱し、下歯車４４と上歯車４３とが噛合し、分配軸４６が順次に切換スリーブ軸４５と、下歯車４４と、上歯車４３と、貫通軸２と５、スプラインスリーブ軸２６と、駆動プーリ２７と、従動プーリ３０と、糸巻き軸３２とにより糸巻き輪３１を回転連動させ、それによりアイロンブロック６８を下にスライド連動させ、同時に、左歯車１６が右歯車１５、と蒸気軸１４とにより蒸気器１３を作動連動させ蒸気を生成させ、服にアイロンをかける。
【００２１】
本発明の有益的な効果は：本発明は構造が簡単で、操作が便利で、体積が小さく、携帯性が高く、また、服を広げると同時に自動的に服にアイロンをかけ、よって、本発明設備は高い使用と普及の価値を持つ。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020179082.tif 000003
【図２】
2020179082.tif 000004
【図３】
2020179082.tif 000005
【手続補正書】
【提出日】令和2年9月15日(2020.9.15)
【手続補正１】
【補正対象書類名】特許請求の範囲
【補正対象項目名】全文
【補正方法】変更
【補正の内容】
【特許請求の範囲】
【請求項１】
主体を含み、前記主体の頂端にはフックが設置され、前記主体の下端には服広げが設置され、前記主体には動力チャンバが設置され、前記動力チャンバには蒸気装置が設置され、前記主体には四組の延伸ブロックが対称的に設置され、前記延伸ブロックにはアイロン装置が設置され、前記主体には伝動チャンバが左右に対称的に設置され、前記伝動チャンバには伝動装置が設置され、前記伝動チャンバの下壁には延伸チャンバが設置され、前記延伸チャンバには延伸装置が設置され、前記動力チャンバには駆動機構が設置され、前記駆動機構は動力軸とモーターとを含み、前記動力軸が前記動力チャンバに回転できるように設置され、前記モーターが前記動力チャンバの底壁に固定的に設置され、前記動力軸と前記モーターとが動力が伝達できるように連結され、前記動力チャンバの頂壁には分配チャンバが設置され、前記分配チャンバにある前記動力軸の頂端には駆動傘歯車が設置され、
前記駆動機構は前記伝動装置により前記アイロン装置をスライド連動させることができ、服にアイロンをかけ、
前記伝動装置は延伸軸と、前記延伸軸に関連する部品とを含み、前記延伸軸において前記分配チャンバの中心に近接した一端は前記分配チャンバに位置しており、前記延伸軸において前記分配チャンバの中心から離れた一端は前記伝動チャンバに位置しており、前記延伸軸の右端には右傘歯車が設置され、前記延伸軸の左端には左傘歯車が設置され、前記伝動チャンバには分配軸が回転できるように設置され、前記分配軸の外壁には従動傘歯車が設置され、前記分配軸の外壁には切換スリーブ軸がスライドできるように設置され、前記切換スリーブ軸と前記分配軸とがスプラインにより係合され、前記切換スリーブ軸の外壁には下歯車が設置され、前記分配軸の外壁にはウォームが設置され、前記伝動チャンバには横軸が設置され、前記横軸の右端にはウォームホイールが設置され、前記横軸の左端にはカムが設置され、前記伝動チャンバにはメイン回転ブロックがスライドできるように設置され、前記メイン回転ブロックと前記伝動チャンバの内壁との間には第一ばねが設置され、前記分配軸の外壁には前傘歯車が設置され、前記伝動チャンバには縦軸が設置され、前記縦軸の頂端には下傘歯車が設置され、前記縦軸の底端には前歯車が設置され、前記縦軸の外壁にはサブ回転ブロックが設置され、前記サブ回転ブロックと前記伝動チャンバの内壁との間には第二ばねが設置され、前記分配軸の前端には太陽歯車が設置され、前記伝動チャンバにはカムリングギヤが回転できるように設置され、前記カムリングギヤと前記太陽歯車との間には遊星歯車が伝動できるように設置され、
前記伝動装置は動力を前記延伸装置、前記アイロン装置及び前記蒸気装置に伝達し、
前記延伸装置は前記延伸チャンバに設置されるねじボルトと、前記ねじボルトに関連する部品とを含み、前記ねじボルトの上端が前記伝動チャンバの内部に延びており、前記ねじボルトの下端が前記主体の内部に延びており、前記ねじボルトの頂端には後歯車が設置され、前記ねじボルトの外壁には前記ねじボルトとネジ山により係合される延伸スライドブロックがスライドできるように設置され、前記延伸チャンバにはショート連結ロッドが設置され、前記ショート連結ロッドと前記延伸ブロックとがヒンジにより連結され、前記ショート連結ロッドの前端にはロング連結ロッドがヒンジにより連結され、前記ロング連結ロッドと前記延伸スライドブロックとがヒンジにより連結され、
前記延伸装置は前記延伸ブロックを収納でき、
前記アイロン装置は前記延伸ブロックの下に設置されるアイロンブロックと、前記アイロンブロックに関連する設備とを含み、前記延伸ブロックにはベルトチャンバが設置され、前記ベルトチャンバには貫通軸が回転できるように設置され、前記貫通軸の外壁にはスプラインスリーブ軸がスライドできるように設置され、前記スプラインスリーブ軸の外壁には駆動プーリが設置され、前記伝動チャンバにある前記貫通軸の外壁には上歯車が設置され、前記ベルトチャンバの後壁には糸巻きチャンバが設置され、前記糸巻きチャンバには糸巻き軸が設置され、前記糸巻き軸の前端には従動プーリが設置され、前記従動プーリと前記駆動プーリとの間にはベルトが伝動できるように設置され、前記糸巻き軸の後端には糸巻き輪が設置され、前記糸巻き輪と前記アイロンブロックとの間が伝動糸により連結され、前記アイロンブロックには伸縮チャンバが設置され、前記伸縮チャンバには伸縮ブロックがスライドできるように設置され、前記伸縮ブロックの頂端にはラックが設置され、前記伸縮チャンバには伸縮軸が回転できるように設置され、前記伸縮軸の前端には伸縮歯車が設置され、前記伸縮軸の後端と前記伸縮チャンバの後壁に固定的に設置されるサブモーターとが動力が伝達できるように連結され、
前記蒸気装置は前記動力チャンバに設置される蒸気軸と、前記蒸気軸に関連する部品とを含み、前記蒸気軸の底端には右歯車が設置され、前記蒸気軸の頂端と前記動力チャンバの頂壁に固定的に設置される蒸気器とが動力が伝達できるように連結され、前記動力軸の外壁には左歯車が設置され、前記主体には水チャンバが設置され、前記水チャンバと前記蒸気器との間が送り込み管により連通しており、前記蒸気器と前記アイロンブロックとが送り出し管により連通しており、
前記蒸気装置は水を加熱して蒸気に変えることができ、服のアイロンかけ効率を高めることを特徴とする携帯式アイロンハンガー。
【手続補正２】
【補正対象書類名】明細書
【補正対象項目名】全文
【補正方法】変更
【補正の内容】
【発明の詳細な説明】
【技術分野】
【０００１】
本発明は生活用品分野を取り上げて、具体的には携帯式アイロンハンガーである。
【背景技術】
【０００２】
現在、服を洗濯した後、常にアイロン設備により服のしわを伸ばすが、伝統的なアイロン設備は占めしているスペースが大きく、操作が複雑であり、また、ユーザーが外出している間にアイロン設備を持ちにくい。現在、ハンガーは各家庭の欠かせないものであり、伝統的なハンガーは服を開くしかできなく、その他の機能を持っていなく、従って、本発明は服をアイロンかけできる携帯式ハンガーを設計する。
【先行技術文献】
【特許文献】
【０００３】
【特許文献１】中国特許出願公開第１０７３０３１２０号明細書
【発明の概要】
【発明が解決しようとする課題】
【０００４】
本発明の目的は携帯式アイロンハンガーを提供し、それは上記の現在の技術中の問題を解決できる。
【課題を解決するための手段】
【０００５】
本発明の携帯式アイロンハンガーは、主体を含み、前記主体の頂端にはフックが設置され、前記主体の下端には服広げが設置され、前記主体には動力チャンバが設置され、前記動力チャンバには蒸気装置が設置され、前記主体には四組の延伸ブロックが対称的に設置され、前記延伸ブロックにはアイロン装置が設置され、前記主体には伝動チャンバが左右に対称的に設置され、前記伝動チャンバには伝動装置が設置され、前記伝動チャンバの下壁には延伸チャンバが設置され、前記延伸チャンバには延伸装置が設置され、前記動力チャンバには駆動機構が設置され、前記駆動機構は動力軸とモーターとを含み、前記動力軸が前記動力チャンバに回転できるように設置され、前記モーターが前記動力チャンバの底壁に固定的に設置され、前記動力軸と前記モーターとが動力が伝達できるように連結され、前記動力チャンバの頂壁には分配チャンバが設置され、前記分配チャンバにある前記動力軸の頂端には駆動傘歯車が設置され、
前記駆動機構は前記伝動装置により前記アイロン装置をスライド連動させることができ、服にアイロンをかける。
【０００６】
優選的には、前記伝動装置は延伸軸と、前記延伸軸に関連する部品とを含み、前記延伸軸において前記分配チャンバの中心に近接した一端は前記分配チャンバに位置しており、前記延伸軸において前記分配チャンバの中心から離れた一端は前記伝動チャンバに位置しており、前記延伸軸の右端には右傘歯車が設置され、前記延伸軸の左端には左傘歯車が設置され、前記伝動チャンバには分配軸が回転できるように設置され、前記分配軸の外壁には従動傘歯車が設置され、前記分配軸の外壁には切換スリーブ軸がスライドできるように設置され、前記切換スリーブ軸と前記分配軸とがスプラインにより係合され、前記切換スリーブ軸の外壁には下歯車が設置され、前記分配軸の外壁にはウォームが設置され、前記伝動チャンバには横軸が設置され、前記横軸の右端にはウォームホイールが設置され、前記横軸の左端にはカムが設置され、前記伝動チャンバにはメイン回転ブロックがスライドできるように設置され、前記メイン回転ブロックと前記伝動チャンバの内壁との間には第一ばねが設置され、前記分配軸の外壁には前傘歯車が設置され、前記伝動チャンバには縦軸が設置され、前記縦軸の頂端には下傘歯車が設置され、前記縦軸の底端には前歯車が設置され、前記縦軸の外壁にはサブ回転ブロックが設置され、前記サブ回転ブロックと前記伝動チャンバの内壁との間には第二ばねが設置され、前記分配軸の前端には太陽歯車が設置され、前記伝動チャンバにはカムリングギヤが回転できるように設置され、前記カムリングギヤと前記太陽歯車との間には遊星歯車が伝動できるように設置され、
前記伝動装置は動力を前記延伸装置、前記アイロン装置及び前記蒸気装置に伝達する。
【０００７】
優選的には、前記延伸装置は前記延伸チャンバに設置されるねじボルトと、前記ねじボルトに関連する部品とを含み、前記ねじボルトの上端が前記伝動チャンバの内部に延びており、前記ねじボルトの下端が前記主体の内部に延びており、前記ねじボルトの頂端には後歯車が設置され、前記ねじボルトの外壁には前記ねじボルトとネジ山により係合される延伸スライドブロックがスライドできるように設置され、前記延伸チャンバにはショート連結ロッドが設置され、前記ショート連結ロッドと前記延伸ブロックとがヒンジにより連結され、前記ショート連結ロッドの前端にはロング連結ロッドがヒンジにより連結され、前記ロング連結ロッドと前記延伸スライドブロックとがヒンジにより連結され、
前記延伸装置は前記延伸ブロックを収納できる。
【０００８】
優選的には、前記アイロン装置は前記延伸ブロックの下に設置されるアイロンブロックと、前記アイロンブロックに関連する設備とを含み、前記延伸ブロックにはベルトチャンバが設置され、前記ベルトチャンバには貫通軸が回転できるように設置され、前記貫通軸の外壁にはスプラインスリーブ軸がスライドできるように設置され、前記スプラインスリーブ軸の外壁には駆動プーリが設置され、前記伝動チャンバにある前記貫通軸の外壁には上歯車が設置され、前記ベルトチャンバの後壁には糸巻きチャンバが設置され、前記糸巻きチャンバには糸巻き軸が設置され、前記糸巻き軸の前端には従動プーリが設置され、前記従動プーリと前記駆動プーリとの間にはベルトが伝動できるように設置され、前記糸巻き軸の後端には糸巻き輪が設置され、前記糸巻き輪と前記アイロンブロックとの間が伝動糸により連結され、前記アイロンブロックには伸縮チャンバが設置され、前記伸縮チャンバには伸縮ブロックがスライドできるように設置され、前記伸縮ブロックの頂端にはラックが設置され、前記伸縮チャンバには伸縮軸が回転できるように設置され、前記伸縮軸の前端には伸縮歯車が設置され、前記伸縮軸の後端と前記伸縮チャンバの後壁に固定的に設置されるサブモーターとが動力が伝達できるように連結される。
【０００９】
優選的には、前記蒸気装置は前記動力チャンバに設置される蒸気軸と、前記蒸気軸に関連する部品とを含み、前記蒸気軸の底端には右歯車が設置され、前記蒸気軸の頂端と前記動力チャンバの頂壁に固定的に設置される蒸気器とが動力が伝達できるように連結され、前記動力軸の外壁には左歯車が設置され、前記主体には水チャンバが設置され、前記水チャンバと前記蒸気器との間が送り込み管により連通しており、前記蒸気器と前記アイロンブロックとが送り出し管により連通しており、
前記蒸気装置は水を加熱して蒸気に変えることができ、服のアイロンかけ効率を高める。
【発明の効果】
【００１０】
本発明の有益的な効果は：本発明は構造が簡単で、操作が便利で、体積が小さく、携帯性が高く、また、服を広げると同時に自動的に服にアイロンをかけ、よって、本発明設備は高い使用と普及の価値を持つ。
【図面の簡単な説明】
【００１１】
本発明の実施例また既存の技術の中の技術方案をもっとはっきり説明するため、下記に実施例また既存の技術の説明の中に使用する必要がある附図に簡単な紹介を行う。
【００１２】
【図１】図１は本発明の携帯式アイロンハンガーの全体構造概略図
【図２】図２は図１のＡ−Ａの構造概略図
【図３】図３は図１のＢの構造概略図
【発明を実施するための形態】
【００１３】
下記に図をあわせて本発明について詳しく説明し、便利に説明するために、下記の方向を以下のように規定する：以下に述べる上下左右前後の方向と図１の自身投影関係の上下左右前後の方向とが一致である。
【００１４】
図１−３に示すように、本発明の携帯式アイロンハンガーは、主体１２を含み、前記主体１２の頂端にはフック１１が設置され、前記主体１２の下端には服広げ７２が設置され、前記主体１２には動力チャンバ１９が設置され、前記動力チャンバ１９には蒸気装置４００が設置され、前記主体１２には四組の延伸ブロック２４が対称的に設置され、前記延伸ブロック２４にはアイロン装置３００が設置され、前記主体１２には伝動チャンバ５３が左右に対称的に設置され、前記伝動チャンバ５３には伝動装置１００が設置され、前記伝動チャンバ５３の下壁には延伸チャンバ４２が設置され、前記延伸チャンバ４２には延伸装置２００が設置され、前記動力チャンバ１９には駆動機構が設置され、前記駆動機構は動力軸１７とモーター１８とを含み、前記動力軸１７が前記動力チャンバ１９に回転できるように設置され、前記モーター１８が前記動力チャンバ１９の底壁に固定的に設置され、前記動力軸１７と前記モーター１８とが動力が伝達できるように連結され、前記動力チャンバ１９の頂壁には分配チャンバ２１が設置され、前記分配チャンバ２１にある前記動力軸１７の頂端には駆動傘歯車２０が設置され、
前記駆動機構は前記伝動装置１００により前記アイロン装置３００をスライド連動させることができ、服にアイロンをかける。
【００１５】
有益的には、前記伝動装置１００は延伸軸２３と、前記延伸軸２３に関連する部品とを含み、前記延伸軸２３において前記分配チャンバ２１の中心に近接した一端は前記分配チャンバ２１に位置しており、前記延伸軸２３において前記分配チャンバ２１の中心から離れた一端は前記伝動チャンバ５３に位置しており、前記延伸軸２３の右端には右傘歯車２２が設置され、前記延伸軸２３の左端には左傘歯車６６が設置され、前記伝動チャンバ５３には分配軸４６が回転できるように設置され、前記分配軸４６の外壁には従動傘歯車６５が設置され、前記分配軸４６の外壁には切換スリーブ軸４５がスライドできるように設置され、前記切換スリーブ軸４５と前記分配軸４６とがスプラインにより係合され、前記切換スリーブ軸４５の外壁には下歯車４４が設置され、前記分配軸４６の外壁にはウォーム４７が設置され、前記伝動チャンバ５３には横軸５２が設置され、前記横軸５２の右端にはウォームホイール４８が設置され、前記横軸５２の左端にはカム４９が設置され、前記伝動チャンバ５３にはメイン回転ブロック５０がスライドできるように設置され、前記メイン回転ブロック５０と前記伝動チャンバ５３の内壁との間には第一ばね５１が設置され、前記分配軸４６の外壁には前傘歯車６４が設置され、前記伝動チャンバ５３には縦軸５８が設置され、前記縦軸５８の頂端には下傘歯車６０が設置され、前記縦軸５８の底端には前歯車５６が設置され、前記縦軸５８の外壁にはサブ回転ブロック５９が設置され、前記サブ回転ブロック５９と前記伝動チャンバ５３の内壁との間には第二ばね５７が設置され、前記分配軸４６の前端には太陽歯車６３が設置され、前記伝動チャンバ５３にはカムリングギヤ６１が回転できるように設置され、前記カムリングギヤ６１と前記太陽歯車６３との間には遊星歯車６２が伝動できるように設置され、
前記伝動装置１００は動力を前記延伸装置２００、前記アイロン装置３００及び前記蒸気装置４００に伝達する。
【００１６】
有益的には、前記延伸装置２００は前記延伸チャンバ４２に設置されるねじボルト５５と、前記ねじボルト５５に関連する部品とを含み、前記ねじボルト５５の上端が前記伝動チャンバ５３の内部に延びており、前記ねじボルト５５の下端が前記主体１２の内部に延びており、前記ねじボルト５５の頂端には後歯車５４が設置され、前記ねじボルト５５の外壁には前記ねじボルト５５とネジ山により係合される延伸スライドブロック６７がスライドできるように設置され、前記延伸チャンバ４２にはショート連結ロッド４０が設置され、前記ショート連結ロッド４０と前記延伸ブロック２４とがヒンジにより連結され、前記ショート連結ロッド４０の前端にはロング連結ロッド４１がヒンジにより連結され、前記ロング連結ロッド４１と前記延伸スライドブロック６７とがヒンジにより連結され、
前記延伸装置２００は前記延伸ブロック２４を収納できる。
【００１７】
有益的には、前記アイロン装置３００は前記延伸ブロック２４の下に設置されるアイロンブロック６８と、前記アイロンブロック６８に関連する設備とを含み、前記延伸ブロック２４にはベルトチャンバ２９が設置され、前記ベルトチャンバ２９には貫通軸２５が回転できるように設置され、前記貫通軸２５の外壁にはスプラインスリーブ軸２６がスライドできるように設置され、前記スプラインスリーブ軸２６の外壁には駆動プーリ２７が設置され、前記伝動チャンバ５３にある前記貫通軸２５の外壁には上歯車４３が設置され、前記ベルトチャンバ２９の後壁には糸巻きチャンバ３３が設置され、前記糸巻きチャンバ３３には糸巻き軸３２が設置され、前記糸巻き軸３２の前端には従動プーリ３０が設置され、前記従動プーリ３０と前記駆動プーリ２７との間にはベルト２８が伝動できるように設置され、前記糸巻き軸３２の後端には糸巻き輪３１が設置され、前記糸巻き輪３１と前記アイロンブロック６８との間が伝動糸により連結され、前記アイロンブロック６８には伸縮チャンバ６９が設置され、前記伸縮チャンバ６９には伸縮ブロック３９がスライドできるように設置され、前記伸縮ブロック３９の頂端にはラック３７が設置され、前記伸縮チャンバ６９には伸縮軸３５が回転できるように設置され、前記伸縮軸３５の前端には伸縮歯車３４が設置され、前記伸縮軸３５の後端と前記伸縮チャンバ６９の後壁に固定的に設置されるサブモーター３６とが動力が伝達できるように連結される。
【００１８】
有益的には、前記蒸気装置４００は前記動力チャンバ１９に設置される蒸気軸１４と、前記蒸気軸１４に関連する部品とを含み、前記蒸気軸１４の底端には右歯車１５が設置され、前記蒸気軸１４の頂端と前記動力チャンバ１９の頂壁に固定的に設置される蒸気器１３とが動力が伝達できるように連結され、前記動力軸１７の外壁には左歯車１６が設置され、前記主体１２には水チャンバ７０が設置され、前記水チャンバ７０と前記蒸気器１３との間が送り込み管７１により連通しており、前記蒸気器１３と前記アイロンブロック６８とが送り出し管３８により連通しており、
前記蒸気装置４００は水を加熱して蒸気に変えることができ、服のアイロンかけ効率を高める。    
【００１９】
初期状態では、アイロンブロック６８が最大限に延伸ブロック２４の内側に位置しており、カムリングギヤ６１とサブ回転ブロック５９とが係合状態から離脱し、カム４９とメイン回転ブロック５０とが係合される。
【００２０】
本発明設備を使用するとき、ユーザーが服をハンガーにかけ、サブモーター３６が作動し始めて伸縮軸３５と、伸縮歯車３４と、ラック３７とにより伸縮ブロック３９を左にスライド連動させ、伸縮チャンバ６９が作動停止し、モーター１８が作動し動力軸１７により左歯車１６と駆動傘歯車２０とを回転連動させ、駆動傘歯車２０が順次に右傘歯車２２と、延伸軸２３と、左傘歯車６６と、従動傘歯車６５とにより分配軸４６を回転連動させ、分配軸４６が前傘歯車６４と、下傘歯車６０と、縦軸５８と、前歯車５６と、後歯車５４とによりねじボルト５５を回転連動させ、それにより延伸スライドブロック６７を内部にスライド連動させ、それによりロング連結ロッド４１とショート連結ロッド４０とにより延伸ブロック２４を後にスライド連動させ、同時に、分配軸４６が太陽歯車６３と遊星歯車６２とによりカムリングギヤ６１を回転連動させ、カムリングギヤ６１とサブ回転ブロック５９とが係合され、カムリングギヤ６１がサブ回転ブロック５９により縦軸５８を下にスライド連動させ、前歯車５６と後歯車５４とが係合状態から離脱し、それと同時に、分配軸４６がウォーム４７と、ウォームホイール４８と、横軸５２とによりカム４９を回転連動させ、カム４９とメイン回転ブロック５０とが係合状態から離脱し、下歯車４４と上歯車４３とが噛合し、分配軸４６が順次に切換スリーブ軸４５と、下歯車４４と、上歯車４３と、貫通軸２５、スプラインスリーブ軸２６と、駆動プーリ２７と、従動プーリ３０と、糸巻き軸３２とにより糸巻き輪３１を回転連動させ、それによりアイロンブロック６８を下にスライド連動させ、同時に、左歯車１６が右歯車１５、と蒸気軸１４とにより蒸気器１３を作動連動させ蒸気を生成させ、服にアイロンをかける。
【００２１】
本発明の有益的な効果は：本発明は構造が簡単で、操作が便利で、体積が小さく、携帯性が高く、また、服を広げると同時に自動的に服にアイロンをかけ、よって、本発明設備は高い使用と普及の価値を持つ。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。